(57)【要約】【課題】筒状の外箱とトレー状の中舟からなり、外箱の中に挿入された中舟を引き出すと同時に、表示部が表出し、かつ、中舟が必要以上に飛び出さないスライド式カートンを提供することにある。【解決手段】本発明は、外箱側板、外箱上板、外箱側板、外箱下板からなり、外箱上板の前辺に外箱係止片を連設し、外箱上板の裏面側に折り返して形成した筒状の外箱に、前側板、後側板、左右側板からなる側板を、底板から立ち上がるように連設し、後側板に中舟係止片を連設したトレー状の中舟を挿入してなるスライド式カートンにおいて、中舟係止片の先端辺の一部に突出した表示部を延設し、外箱上板と外箱係止片の折れ線上の一部に切れ目線によりスリットを設け、中舟を外箱から引き出した時に、中舟係止片が外箱係止片で係止されると同時に、表示部がスリットを通って外箱から表出することを特徴とするスライド式カートンである。【選択図】図１
2006001617.tif 000002
【特許請求の範囲】
【請求項１】
外箱側板、外箱上板、外箱側板、外箱下板からなり、前記外箱上板の前辺に外箱係止片を連設し、前記外箱上板の裏面側に折り返して形成した筒状の外箱に、前側板、後側板、左右側板からなる側板を、底板から立ち上がるように連設し、前記後側板に中舟係止片を連設したトレー状の中舟を挿入してなるスライド式カートンにおいて、
前記中舟係止片の先端辺の一部に突出した表示部を延設し、前記外箱上板と前記外箱係止片の折れ線上の一部に切れ目線によりスリットを設け、前記中舟を前記外箱から引き出した時に、前記中舟係止片が前記外箱係止片で係止されると同時に、前記表示部が前記スリットを通って外箱から表出することを特徴とするスライド式カートン。
【請求項２】
外箱側板、外箱上板、外箱側板、外箱下板からなり、前記外箱上板の前辺に外箱係止片を連設し、前記外箱上板の裏面側に折り返して形成した筒状の外箱に、前側板、後側板、左右側板からなる側板を、底板から立ち上がるように連設し、前記後側板に中舟係止片を連設したトレー状の中舟を挿入してなるスライド式カートンにおいて、
前記中舟係止片の先端辺の一部に突出した表示部を延設し、前記外箱係止片を間隔をあけて２箇所に設け、前記中舟を前記外箱から引き出した時に、前記中舟係止片が前記外箱係止片で係止されると同時に、前記表示部が前記外箱係止片の間隙を通って外箱から表出することを特徴とするスライド式カートン。
【発明の詳細な説明】
【技術分野】
【０００１】
本発明は、筒状の外箱とトレー状の中舟からなり、外箱の中に挿入された中舟を引き出すと同時に、表示パネルが表出し、かつ、中舟が必要以上に飛び出さないように、外箱と中舟との間に係止構造が設けられているスライド式カートンに関するものである。
【背景技術】
【０００２】
従来から、菓子、食品、たばこ等を収納する、前後面を開放した四角筒状の外箱に、上面を開放したトレー状の中舟を、挿入した形状のスライド式カートンが、カートン形態の一つとして広く使用されている。
【０００３】
また、このスライド式カートンの形状では、外箱から中舟をスライドさせて中舟の中に収納した内容物を取出す時に、中舟が必要以上に外箱から飛び出し、さらには、外箱から抜け出てしまうという問題がある。従って、中舟が必要以上に外箱から飛び出さないように、外箱と中舟との間に係止構造が設けられている形状が多く提案されている（例えば、特許文献１参照。）。
【特許文献１】実開平７−２２９１１号公報
【発明の開示】
【発明が解決しようとする課題】
【０００４】
しかしながら、係止機能を有し、かつ、外箱から中舟を引き出すと同時に表示パネルが表出するという販促性のある形態のスライドカートンは今まで提案されていない。従って、筒状の外箱からトレー状の中舟が離脱しない、外箱と中舟との間に簡単な係止構造が形成され、かつ、ディスプレイ効果のある意匠性の高いスライド式カートンが要請されている。
【０００５】
本発明は、筒状の外箱とトレー状の中舟からなり、外箱の中に挿入された中舟を引き出すと同時に、表示部が表出し、かつ、中舟が必要以上に飛び出さないように、外箱と中舟との間に簡単な係止構造を有するスライド式カートンを提供することを目的とするものである。
【課題を解決するための手段】
【０００６】
第一の発明は、外箱側板、外箱上板、外箱側板、外箱下板からなり、前記外箱上板の前辺に外箱係止片を連設し、前記外箱上板の裏面側に折り返して形成した筒状の外箱に、前側板、後側板、左右側板からなる側板を、底板から立ち上がるように連設し、前記後側板に中舟係止片を連設したトレー状の中舟を挿入してなるスライド式カートンにおいて、前記中舟係止片の先端辺の一部に突出した表示部を延設し、前記外箱上板と前記外箱係止片の折れ線上の一部に切れ目線によりスリットを設け、前記中舟を前記外箱から引き出した時に、前記中舟係止片が前記外箱係止片で係止されると同時に、前記表示部が前記スリットを通って外箱から表出することを特徴とするスライド式カートンである。
【０００７】
第二の発明は、外箱側板、外箱上板、外箱側板、外箱下板からなり、前記外箱上板の前辺に外箱係止片を連設し、前記外箱上板の裏面側に折り返して形成した筒状の外箱に、前側板、後側板、左右側板からなる側板を、底板から立ち上がるように連設し、前記後側板に中舟係止片を連設したトレー状の中舟を挿入してなるスライド式カートンにおいて、前記中舟係止片の先端辺の一部に突出した表示部を延設し、前記外箱係止片を間隔をあけて２箇所に設け、前記中舟を前記外箱から引き出した時に、前記中舟係止片が前記外箱係止片で係止されると同時に、前記表示部が前記外箱係止片の間隙を通って外箱から表出することを特徴とするスライド式カートンである。
【発明の効果】
【０００８】
本発明のスライド式カートンにおいては、外箱の外箱上板または外箱側板に外箱係止片を連設して外箱上板の裏面側に折り返し、この外箱係止片と対応する中舟の後側板の上辺に連設して一部が表示パネルとなる中舟係止片を設けたことによって、外箱から中舟を引き出した時に、外箱の外箱係止片と中舟の中舟係止片とが係止し、所定の位置以上は筒状の外箱からトレー状の中舟が離脱することがない、外箱と中舟との簡単な係止構造を有している。
【０００９】
また、外箱から中舟を引き出すと同時に、中舟係止片に延設した表示パネルが外箱から表出し、くじの当たり・外れ、応募点数等を表示したり、キョンペーンを告知したりすることができる販促性の高いスライド式カートンとすることができる。また、２種類以上の内容物を収納した場合、１種類のみを取り出してもう一つの種類の内容物を取り出し忘れすることを防ぐための警告等を表示することができる。さらに、内容物が薬品等の場合、ワンポイント注意等を表示し、注意を促すことができる等の効果がある。
【００１０】
また、本発明のスライド式カートンにおいては、通常の打抜型を用いた打抜工程で、スライド式カートンの外箱と中舟とのブランクを作製することができ、それぞれ通常の製函工程で、量産が可能であり、作製費用が廉価なスライド式カートンを得ることができるものである。
【００１１】
さらに、外箱と中舟との係止構造が簡単であることからカートンの組み立てが容易であり、高速包装充填ラインに適応できるという効果を有するものである。
【発明を実施するための最良の形態】
【００１２】
以下、図面によって本発明によるスライド式カートンをさらに詳細に説明する。
【００１３】
図１は、第一の発明によるスライド式カートンの一実施形態を示す斜視図であり、機能を説明する図である。長方形状の、外箱側板２１、外箱上板２２、外箱側板２３、外箱下板２４からなり、外箱上板２２の前辺に連設した外箱係止片２６を外箱上板２２の裏面側に折り返して形成した筒状の外箱２Ａに、前側板１２、後側板１３、左右側板１４、１４からなる側板を、底板１１から立ち上がるように連設し、そして、後側板１３に中舟係止片１８を連設し、その中舟係止片１８の先端辺の一部から突出する表示部１８ａを延設し、開口側に折り曲げて形成したトレー状の中舟１Ａを挿入してなる本発明によるスライド式カートンＡの組み立てた状態を示している。図１−ａは、中舟１Ａの収納位置を示し、図１−ｂは、中舟１を前方に押し出して、所定の位置までスライドさせた位置を示しており、この時、中舟係止板１８が折り返された外箱係止片２６で係止されると同時に、中舟係止板１８の先端辺の一部に延設した表示部１８ａが、外箱上板２２と外箱係止板２６の折れ線ｌ上に設けられたスリットＳを通って外箱２Ａから表出する。また、この位置で適量の内容物を取り出した後、再度、図１−ａに示す収納位置にまで中舟１Ａを押し戻すことができる。
【００１４】
本発明によるスライド式カートンＡの特徴的なポイントは、中舟１Ａに設けた中舟係止片１８が、外箱上板２２と折り返された外箱係止片２６との間で係止されることにより、外箱２Ａから中舟１Ａが抜け落ちたり、必要以上にスライドしてしまうことがない係止機能を有しているとともに、中舟係止片１８の先端辺の一部から突出して延設した表示部１８ａが外箱２Ａから表出するというディスプレイ効果を有していることである。すなわち、外箱２Ａから中舟１Ａを引き出した場合、所定の距離を引き出した時に、図１−ｂに示すように、中舟１Ａの後側板１３に連設した中舟係止片１８の前端が、外箱２Ａの折り返された外箱係止片２６で係止されることによって、中舟１Ａのさらなる前方向へのスライドが防止されていると同時に、中舟係止片１８の先端辺の一部から突出して延設した表示部１８ａが外箱上板２２と外箱係止片２６Ａの折れ線ｌ上に設けたスリットＳを通って外箱２Ａから表出してくるということである。
【００１５】
図２は、本発明によるスライド式カートンＡの中舟１Ａと外箱２Ａのブランクの展開図である。中舟１Ａのブランク１０Ａは、図２−ａに示すように、矩形状の底板１１の上辺に折れ線ａを介して前側板１２を連設し、下辺に折れ線ｂを介して後側板１３を連設し、左右の辺に折れ線ｃ、ｃを介して左右側板１４、１４を連設している。また、前側板１２の上辺には折れ線ｆを介して差し込み片１７を連設し、後側板１３の下辺には折れ線ｇを介して中舟係止片１８を連設し、左右側板１４、１４の前側辺には折れ線ｄを介して上折り込み片１５をそれぞれ連設し、後側辺には折れ線ｅを介して下折り込み片１６をそれぞれ連設している。そして、中舟係止片１８には、下辺の中央部に舌状に突出した表示部１８ａを延設している。
【００１６】
外箱２Ａのブランク２０Ａは、図２−ｂに示すように、全体が略矩形状であり、外箱側板２１、外箱上板２２、外箱側板２３、外箱下板２４、外箱糊代片２５を順次折れ線ｈ、ｉ、ｊ、ｋを介して連設している。そして、外箱上板２２の上辺には折れ線ｌを介して外箱係止片２６Ａを連設している。この外箱係止片２６Ａは、外箱に組み立てられた状態では、外箱上板２２の裏面側に位置している。そして、外箱上板２２と外箱係止片２６Ａの折れ線ｌ上には、切れ目線によるスリットＳが設けられている。このスリットＳは、中舟係止片１８に延設した表示部１８ａが通って外箱２Ａから表出できる幅としている。また、外箱係止片２６Ａの形状、大きさは、中舟係止片１８を係止することができるように適宜設定する。
【００１７】
図３は、本発明によるスライド式カートンＡの中舟１Ａと外箱２Ａの斜視図である。中舟１Ａは、図３−ａに示すように、完成時の実際の形状は四角トレー状である。本発明によるスライド式カートンＡの中舟１Ａを成形するには、まず、底板１１を中心にして、左右側板１４、１４を折れ線ｃ、ｃで上方に直角に折り曲げ、前側辺に連設している上折り込み片１５、１５を折れ線ｄ、ｄで内側に直角に折り曲げ、後側辺に連設している下折り込み片１６、１６を折れ線ｅ、ｅで内側に直角に折り曲げる。ついで、前側板１２を折れ線ａで、後側板１３を折れ線ｂでそれぞれ上方に直角に折り曲げる。内容物を収納した後に、前側板１２に連設している差し込み片１７を折れ線ｆで内側に直角に折り曲げ、後側板１３に連設している中舟係止片１８を折れ線ｇで内側に直角に折り曲げることにより組み立てることができる。この中舟係止片１８の前側の端部が係止構造の重要な構成要素となり、そして、先端辺に延設した表示部１８ａが外箱２Ａから中舟１Ａを引き出した時に、外箱２ＡのスリットＳを通って外箱２Ａから表出することになる。
【００１８】
外箱２Ａは、図３−ｂに示すように、角柱状であって、その成形は、外箱２Ａのブランク２０Ａを折れ線ｉ、ｋで三つ折りし、外箱糊代片２５と外箱側板２１を接着させて得られるフラットに折り畳まれた外箱２Ａを角柱状に起こせばよい。この外箱上板２２には外箱係止片２６Ａが連設されており、起こした状態で外箱上板２２の裏面側に折り返された状態で、中舟１Ａの中舟係止片１８のストッパーとして機能し、係止構造の重要な構成要素となっている。この係止構造は、外箱上板２２の裏面側にあって、通常の板紙をブランク基材として使用する場合には表面からは目視できない。
【００１９】
また、本発明によるスライド式カートンの中舟の形状としては、上記の形態に限定されることなく、本発明の要旨を逸脱しない範囲内で種々の変形が可能である。
【００２０】
例えば、図４−ａに示すように、中舟係止片１８の側辺にさらに中舟係止側片１８ｂを設けた形状とすることができる。この中舟係止側片１８ｂを設けることにより、後側板１３のずれが少なくなり、中舟１が変形することなく、中舟１を外箱２に確実に係止することができる。
【００２１】
また、図４−ｂに示すように、中舟係止片１８と折り込み片１９、１９とをロックする形状とすることができる。このように、後側板１３と中舟係止片１８との折れ線の両端部に切り込みｍ、ｍを入れる等の方法で中舟係止片１８と折り込み片１９、１９とをロックすることにより、後側板１３のずれがなくなり、中舟１が変形することなく、中舟１外箱２に確実に係止することができる。
【００２２】
また、図４−ｃに示すように、後側板１３と折り込み片１９、１９とを貼り合せた形状とすることができる。このように、後側板１３と折り込み片１９、１９とを貼り合せることにより、中舟１が変形することなく、中舟１外箱２に確実に係止することができる。
【００２３】
また、中舟係止片１８に延設した設ける表示部１８ａの形状として、舌状以外にも、半円形、三角形、四角形等、種々の形状とすることができる。
【００２４】
また、本発明によるスライド式カートンＡの外箱２Ａの形状としても、上記の形態に限定されることなく、本発明の要旨を逸脱しない範囲内で種々の変形が可能である。
【００２５】
例えば、図５−ａに示すように、外箱上板２２の上辺の一部に外箱係止片２６Ａを設けた形状とすることができる。このように、外箱上板２２の上辺の一部に外箱係止片２６Ａを設けることにより、省スペースによる材料の削減が計れる。
【００２６】
また、図５−ｂに示すように、外箱上板２２の上辺の一部を凹状にしてスリットＳを設けた形状とすることができる。このように、外箱上板２２の上辺の一部を凹状にしてスリットＳを設けた外箱係止片２６Ａを設けることにより、中舟１を外箱２から引き出しやすくなり、かつ、開口部が拡がり内容物も取り出しやすくなる。
【００２７】
また、図５−ｃに示すように、外箱係止片２６Ａの両側辺または一側辺に外箱係止側片２６Ａａを連設した形状とすることができる。このように、外箱係止側片２６Ａａを設けることにより、外箱係止片２６Ａを外箱上板２２の裏面に貼り合わせない状態でも、固定されて、中舟１を外箱２に確実に係止することができる。
【００２８】
図６は、第二の発明によるスライド式カートンの一実施形態を示す斜視図であり、機能を説明する図である。図６−ａは、長方形状の、外箱側板２１、外箱上板２２、外箱側板２３、外箱下板２４からなり、外箱上板２２の前辺に２箇所に間隔をおいて連設した外箱係止片２６Ｂ、２６Ｂを外箱上板２２の裏面側に折り返して形成した筒状の外箱２Ｂに、前側板１２、後側板１３、左右側板１４、１４からなる側板を、底板１１から立ち上がるように連設し、そして、後側板１３に中舟係止片１８を連設し、その中舟係止片１８の先端辺の一部であり略中央部に表示部１８ａを延設し、開口側に折り曲げて形成したトレー状の中舟１Ｂを挿入してなる本発明によるスライド式カートンＢの組み立てた状態を示し、また中舟１Ｂの収納位置を示している。図６−ｂは、中舟１Ｂを前方に押し出して、所定の位置までスライドさせた位置を示している。この時、中舟係止板１８が折り返された外箱係止片２６Ｂ、２６Ｂで係止されると同時に、中舟係止板１８の先端辺の一部に延設した表示部１８ａが、外箱上板２２に設けられた２箇所の外箱係止板２６Ｂ、２６Ｂの間の間隙を通って外箱２Ｂから表出する。また、この位置で適量の内容物を取り出した後、再度、図６−ａに示す収納位置にまで中舟１Ｂを押し戻すことができる。
【００２９】
本発明によるスライド式カートンＢの特徴的なポイントは、中舟１Ｂに設けた中舟係止片１８が折り返された外箱係止片２６Ｂ、２６Ｂで係止されることにより、外箱２Ｂから中舟１Ｂが抜け落ちたり、必要以上にスライドしてしまうことがない係止機能を有しているとともに、中舟係止片１８の一部の表示部１８ａが外箱２Ｂから表出するというディスプレイ効果を有していることである。すなわち、外箱２Ｂから中舟１Ｂを引き出した場合、所定の距離を引き出した時に、図６−ｂに示すように、中舟１Ｂの後側板１３に連設した中舟係止片１８の前端が、折り返された外箱係止片２６Ｂ、２６Ｂで係止されることによって、中舟１Ｂのさらなる前方向へのスライドが防止されると同時に、中舟係止片１８の先端辺に突出して延設された表示部１８ａが外箱上板２２に設けられた２箇所の外箱係止片２６Ｂ、２６Ｂの間の間隙を通って外箱２Ｂから表出することである。
【００３０】
本発明によるスライド式カートンＢの中舟１Ｂのブランク１０Ｂは、図２−ａに示すようなスライド式カートンＡの中舟１Ａのブランク１０Ａと同様であり、外箱２Ｂのブランク２０Ｂが、図７−ａに示すように、全体が略矩形状であり、外箱側板２１、外箱上板２２、外箱側板２３、外箱下板２４、外箱糊代片２５を順次折れ線ｈ、ｉ、ｊ、ｋを介して連設している。そして、外箱上板２２の上辺には２箇所に折れ線ｌ、ｌを介して外箱係止片２６Ｂ、２６Ｂを連設している。この外箱係止片２６Ｂ、２６Ｂは、外箱２Ｂに組み立てられた状態では、外箱上板２２の裏面側に位置しているが、外箱上板２２の裏面に貼りあわせて固定してもよい。また、外箱係止片２６Ｂの形状、位置、大きさは、中舟係止片１８を係止することができるように適宜設定する。
【００３１】
外箱２Ｂは、図７−ｂに示すように、四角柱状であって、その成形は、外箱２Ｂのブランク２０を折れ線ｉ、ｋで三つ折りし、外箱糊代片２５と外箱側板２１を接着させて得られるフラットに折り畳まれた外箱２Ｂを角柱状に起こせばよい。この外箱上板２２には外箱係止片２６Ｂ、２６Ｂが連設されており、起こした状態で外箱上板２２の裏面側に位置し、中舟１Ｂの中舟係止片１８を係止し、係止構造の重要な構成要素となっている。この係止構造は、外箱上板２２の裏面側にあって、通常の板紙をブランク基材として使用する場合には表面からは目視できない。
【００３２】
また、スライド式カートンＢの変形として、２箇所に設ける外箱係止片２６Ｂを１箇所とすることもできる。この外箱係止片２６Ｂが１箇所の場合も、外箱２Ｂから中舟１Ｂを引き出した場合、所定の距離を引き出した時に、中舟１Ｂの後側板１３に連設した中舟係止片１８の前端が、折り返された外箱係止片２６Ｂ、で係止されることによって、中舟１Ｂのさらなる前方向へのスライドが防止されると同時に、中舟係止片１８の先端辺に突出して延設された表示部１８ａが外箱上板２２に設けられた１箇所の外箱係止片２６Ｂと端部との間の間隙を通って外箱２Ｂから表出することである。
【００３３】
また、いずれのスライド式カートンにおいても、外箱２を開放された両端の下方を封止した有底の筒状としてもよい（図は省略する）。さらに、中舟１および外箱２の形状を、四角柱形状以外に六角柱形状等の多角柱形状とすることもできる。
【００３４】
本発明のスライド式カートンのブランク基材には、広範囲の板紙の使用が可能であるが、剛度が有り、耐折強度の強い、カード系、特板系が好適に使用できる。また長期にわたり使用する場合には折れ線や切れ目線等からの破壊等を起きにくくするために、ポリ塩化ビニル、ポリプロピレン、ポリエチレン、ポリエチレンテレフタレート、ポリカーボネート、ポリスチレン等のフィルムを板紙にラミネートするとよい。また、このラミネートによって防湿性の向上を図ることもできる。さらに、板紙に代わって、プラスチックシートをブランク基材に使用してもよい。例えば、タルク等のフィラーを混入して不透明にしたポリプロピレンシート、アモルファスポリエチレンテレフタレート等のシートをそのままブランク基材として使用することができる。また、内容物によっては透明プラスチックシートを使用して、中身を見せるようなスケルトン型にしてもよい。
【００３５】
また、ブランク基材への印刷にはオフセット、グラビア、シルクスクリーン等のいかなる周知の印刷方法を用いてもよい。またエンボス、箔押し、ＯＰニスコート等の後加工を行ってもよい。これら印刷及び後加工は板紙あるいはプラスチックのシート状での加工であるため美しい、迫力のあるシャープな仕上がりとなる。なお、本発明によるスライド式カートンには密封性を上げ、また塵埃の混入防止のため、成形充填後にスライド式カートン全体を防湿性プラスチックフィルムでオーバーラップすることが好ましい。
【産業上の利用可能性】
【００３６】
本発明によるスライド式カートンは、菓子、食品、たばこ等を収納するカートン形態の一つとして広く使用することができ、特に、くじ付き、点数表示、キャンペーン告示等の販促性の高いカートンに好適に利用することができる。
【図面の簡単な説明】
【００３７】
【図１】本発明によるスライド式カートンの第一の実施形態を示す斜視図および機能説明図である。
【図２】図１の本発明によるスライド式カートンの中舟と外箱のブランクを示す展開図である。
【図３】図１の本発明によるスライド式カートンの中舟と外箱を示す斜視図である。
【図４】本発明によるスライド式カートンの中舟の他の例を示す斜視図である。
【図５】本発明によるスライド式カートンの外箱の他の例を示す斜視図である。
【図６】本発明によるスライド式カートンの第二の実施形態を示す斜視図および機能説明図である。
【図７】図６の本発明によるスライド式カートンの外箱のブランクを示す展開図と斜視図である。
【符号の説明】
【００３８】
Ａ    スライド式カートン（第一の発明）
Ｂ    スライド式カートン（第二の発明）
１Ａ  中舟（第一の発明）
１Ｂ  中舟（第二の発明）
１０Ａ  ブランク（中舟１Ａ）
１０Ｂ  ブランク（中舟１Ｂ）
１１    底板
１２    前側板
１３    後側板
１４    左右側板
１５    差し込み片
１６    上折り込み片
１７    下折り込み片
１８    中舟係止片
１８ａ  表示部
１８ｂ  中舟係止側片
２Ａ  外箱（第一の発明）
２Ｂ  外箱（第二の発明）
２０Ａ  ブランク（外箱２Ａ）
２０Ｂ  ブランク（外箱２Ａ）
２１    外箱側板
２２    外箱上板
２３    外箱側板
２４    外箱下板
２５    外箱糊代片
２６Ａ    外箱係止片
２６Ａａ  外箱係止側片
２６Ｂ    外箱係止片
ａ〜ｌ  折れ線
ｍ    切り欠け
Ｓ    スリット
【図１】
2006001617.tif 000003
【図２】
2006001617.tif 000004
【図３】
2006001617.tif 000005
【図４】
2006001617.tif 000006
【図５】
2006001617.tif 000007
【図６】
2006001617.tif 000008
【図７】
2006001617.tif 000009